(57)【要約】【目的】  予約録画コードをキー入力することなしに予約録画コードを認識して番組の録画予約が行える携帯型電話装置を提供する。【構成】  ＣＰＵ２０９は、携帯電話部２３１によるデータ送受信（通話処理、インターネット接続処理、電子メール送受信処理など）、受信データに基づく各機能部の制御などを行う。また、ＣＰＵ２０９は、ディジタルカメラ部２１９にて撮像された画像又は携帯電話部２３１による電子メールで受信した画像上での文字認識処理、及びこの認識処理で得たＧコードに基づいた録画予約処理を実行する。【選択図】      図２
2005136831.tif 000002
【特許請求の範囲】
【請求項１】
放送受信機能と受信放送録画再生機能とディジタルカメラ機能とを搭載した携帯型電話装置であって、ディジタルカメラ撮像画像上の文字認識を行う手段と、文字認識された数値列が予約録画コードであるかどうかを判断する手段と、文字認識で取得した予約録画コードに基づいて放送を受信して録画を行う手段と、を備えたことを特徴とする携帯型電話装置。
【請求項２】
放送受信機能と受信放送録画再生機能と画像メール受信機能とを搭載した携帯型電話装置であって、メール受信した画像上の文字認識を行う手段と、文字認識された数値列が予約録画コードであるかどうかを判断する手段と、文字認識で取得した予約録画コードに基づいて放送を受信して録画を行う手段と、を備えたことを特徴とする携帯型電話装置。
【請求項３】
請求項１又は請求項２に記載の携帯型電話装置において、文字認識で取得した予約録画コードをデコードして得られる録画予約に必要な情報を画面に提示して録画予約の確認を行わせるように構成されたことを特徴とする携帯型電話装置。
【請求項４】
請求項３に記載の携帯型電話装置において、複数の予約録画コードの存在を判断した場合に、各予約録画コードに基づいて順次に録画予約に必要な情報を画面に提示して録画予約の確認を行わせるように構成されたことを特徴とする携帯型電話装置。
【発明の詳細な説明】
【技術分野】
【０００１】
この発明は、ディジタルカメラ機能や画像メール受信機能に加え、放送受信機能と受信放送録画再生機能を搭載した携帯型電話装置に関する。
【背景技術】
【０００２】
ビデオの予約録画を行う場合においては、日時、チャンネル、開始時刻、終了時刻などの予約録画に必要な情報を録画装置に入力している。また、電子プログラムガイド画面から所望の番組を選択して録画予約することも可能である。また、新聞紙上の番組欄に掲載されているＧコード（登録商標）を録画装置に入力することで、簡単に予約録画が行える（特許文献１参照）。すなわち、録画装置はＧコードをデコードして、日付、チャンネル、番組開始時刻、番組長さの情報を取得し、この情報に基づいて録画予約を実行する。
【特許文献１】特開２００１−３５９００４号公報
【発明の開示】
【発明が解決しようとする課題】
【０００３】
ところで、近年、地上波ディジタル放送の受信機能及び録画再生機能を備え、録画したコンテンツを再生できる携帯電話が提案されている。また、ディジタルカメラ機能を搭載した携帯電話も多くなっている。ここで、新聞の番組欄で興味有るコメントが掲載された番組欄部分を見つけたとする。この番組を予約録画したいと思えば、そのＧコードを携帯電話にテンキー入力することで録画予約を実行させることが可能となろう。しかしながら、前記番組欄部分を友人に見せてあげたいと思った場合、ディジタルカメラ機能で当該番組欄部分を撮像した上にＧコードの入力が必要とされることになる。また、番組欄部分の画像を友人が携帯電話でメール受信した場合で、友人も当該番組を予約録画したいと思ったときには、画像上でＧコードを覚えた上で、別操作でＧコードをテンキー入力することが必要となるが、最大８桁のＧコードを覚えなくてはならないという不満が生じる。
【０００４】
この発明は、上記事情に鑑み、予約録画コードのキー入力を必要としないで予約録画コードよる番組の録画予約が行える携帯型電話装置を提供することを目的とする。
【課題を解決するための手段】
【０００５】
この発明の携帯型電話装置は、上記の課題を解決するために、放送受信機能と受信放送録画再生機能とディジタルカメラ機能とを搭載した携帯型電話装置であって、ディジタルカメラ撮像画像上の文字認識を行う手段と、文字認識された数値列が予約録画コードであるかどうかを判断する手段と、文字認識で取得した予約録画コードに基づいて放送を受信して録画を行う手段と、を備えたことを特徴とする。
【０００６】
また、この発明の携帯型電話装置は、放送受信機能と受信放送録画再生機能と画像メール受信機能とを搭載した携帯型電話装置であって、メール受信した画像上の文字認識を行う手段と、文字認識された数値列が予約録画コードであるかどうかを判断する手段と、文字認識で取得した予約録画コードに基づいて放送を受信して録画を行う手段と、を備えたことを特徴とする。
【０００７】
これらの構成であれば、画像上で予約録画コードを認識するので、予約録画コードをキー入力することなしに番組の録画予約が行える。
【０００８】
文字認識で取得した予約録画コードをデコードして得られる録画予約に必要な情報を画面に提示して録画予約の確認を行わせるように構成されていてもよい。また、複数の予約録画コードの存在を判断した場合に、各予約録画コードに基づいて順次に録画予約に必要な情報を画面に提示して録画予約の確認を行わせるように構成されていてもよい。
【発明の効果】
【０００９】
以上説明したように、この発明によれば、予約録画コードをキー入力することなしに予約録画コードを認識して番組録画予約が行えるという効果を奏する。
【発明を実施するための最良の形態】
【００１０】
以下、この発明の実施形態を図１乃至図４に基づいて説明する。
【００１１】
図１はこの実施形態の携帯型電話装置２の外観を示した斜視図である。この携帯型電話装置２はディジタルカメラ機能を搭載しているが、そのレンズ部は背面側に設けられていて図１においては隠れて位置する。
【００１２】
図２は携帯型電話装置２のブロック図である。携帯型電話装置２は、地上波ディジタルチューナ２３０による放送受信により得られた符号化映像・音声データ、或いは、スロット２０１に差し込まれたメモリカード３等から読み出した符号化映像・音声データにより、映像を液晶表示パネル２０２上に映し出すとともに、音声をイヤホン２０３から出力するようになっている。なお，この実施形態では符号化映像データはＭＰＥＧ４データで、音声データはＭＰＥＧ２−ＡＡＣであるとする。
【００１３】
メモリカード３から読み出したＭＰＥＧ４データは、ＰＣＭＣＩＡインターフェイス２２０、及びシステムバス２１３を経てＭＰＥＧ４ビデオデコーダ２０４に供給される。また、地上ディジタル放送を受信するチューナ２３０は、この地上ディジタル放送で放送されるＭＰＥＧ４のビットストリームデータを取り出し、ＭＰＥＧ４ビデオデコーダ２０４やオーディオデコーダ（ＭＰＥＧ２−ＡＡＣ）２０６に与える。
【００１４】
ＭＰＥＧ４ビデオデコーダ２０４は、ＭＰＥＧ４のビットストリームデータを復号して量子化係数や動きベクトルを求め、逆ＤＣＴ変換や動きベクトルに基づく動き補償制御などを行うことによって得た映像データをグラフィックスコントローラ２０５に供給する。グラフィックスコントローラ２０５は映像データ（例えば、Ｒ，Ｇ，Ｂデータ）に対して色調整等の処理を施す。また、グラフィックスコントローラ２０５はＣＰＵ２０９から出力指示された文字等（操作ボタン、メニュー、電子プログラムガイド等）を液晶表示パネル２０２に表示する処理も行う。オーディオデコーダ２０６は、ビットストリーム中の音声符号データを復号して音声データを生成する。ＳＤＲＡＭ２１０はＭＰＥＧ４ビデオデコーダ２０４の上記処理において利用される。
【００１５】
ＬＣＤコントローラ２０７は、グラフィックスコントローラ２０５から供給された映像データに基づいて液晶表示パネル２０２を駆動する。また、Ｄ／Ａ変換器２０８は、オーディオデコーダ２０６から出力された音声データを受け取ってＤ／Ａ変換を行い、右（Ｒ）音のアナログ信号及び左（Ｌ）音のアナログ信号を生成してイヤホン２０３に与える。
【００１６】
本体キー２１４は視聴に関する操作ボタン（記録、再生、ポーズ、ストップ、送り）やテンキー等である。この本体キー２１４に対する操作情報は、インターフェイス２１５、及びシステムバス２１３を介してＣＰＵ２０９に与えられる。ＣＰＵ２０９は上記操作情報に基づいて必要な処理を実行する。
【００１７】
ＣＰＵ２０９は、携帯電話部２３１によるデータ送受信（通話処理、インターネット接続処理、電子メール送受信処理など）、受信データに基づく各機能部の制御、ＦｌａｓｈＲＯＭ２１８のリード／ライト制御なども行うようになっている。また、ＣＰＵ２０９は、ディジタルカメラ部２１９にて撮像された画像又は携帯電話部２３１による電子メールで受信した画像上での文字認識処理（optical character recognition 処理）、及びこの認識処理で得たＧコードに基づいた録画予約処理を実行する。
【００１８】
次に、ＣＰＵ２０９による録画予約処理を図４のフローチャートに基づいて説明する。なお、ユーザは、図３に示すごとく、新聞等に掲載されている番組欄（Ｇコード入り）のなかの所望の番組欄部分を含む領域を携帯型電話装置２のディジタルカメラ部２１９を用いて撮像する。ＣＰＵ２０９は、撮像画像をメモリに転送すると共にＬＣＤパネル上に撮像画像を表示する（ステップＳ１）。次に、ＣＰＵ２０９は、文字認識による予約録画機能がユーザによって選択されたかどうかを判断する（ステップＳ２）。この判断は、例えば、本体キー２１４に設けた所定キーが操作されたかどうかにより行えばよい。なお、撮像画像表示状態以外で前記所定キーが操作されたときに、Ｇコードテンキー入力枠を画面表示するようにしておいてもよい。
【００１９】
文字認識による予約録画機能がユーザによって選択されると（ステップＳ２でＹＥＳ）、ＣＰＵ２０９は、前記メモリに転送された画像上で文字認識処理によってＧコードと思われる数値列の抽出を行う（ステップＳ３）。また、認識できた数値列の個数をＩとして記憶する（ステップＳ４）、次に、Ｉ＞０であるかどうかを判断し（ステップＳ５）、Ｉ＞０でない場合には処理を終了し、Ｉ＞０であるときには、有効番組情報数を示すＪをリセットする（ステップＳ６）。
【００２０】
次に、ＣＰＵ２０９は、認識した数値列をデコードして番組情報に変換し、Ｉから１を減算する（ステップＳ７）。そして、ステップＳ７において変換された番組情報が有効な番組情報であるかどうかを判断し（ステップＳ８）、有効であるときにはＪに１を加算する（ステップＳ９）。そして、Ｉが０であるかどうかを判断し（ステップＳ１０）、０でないときにはステップＳ７に戻り、次の数値列のチェックを行う。一方、Ｉが０であると判断されたときには、ステップＳ８で有効と判断された番組情報に基づく予約録画情報をユーザ確認のために画面に表示し、Ｊより１を減算する（ステップＳ１１）。予約録画情報についてのユーザの決定操作がないときには（ステップＳ１２でＮＯ）、Ｊが０であるかどうかを判断して（ステップＳ１３）、０であるときには処理を終了し、０でないときにはステップＳ１１に戻り次の有効番組情報に基づく予約録画情報の表示を行う。一方、ステップＳ１２においてユーザの決定操作があったときには、予約録画情報の設定を行う（ステップＳ１４）。そして、予約録画開始時刻になると（ステップＳ１５でＹＥＳ）、予約録画を開始する（ステップＳ１６）。
【００２１】
上記の録画予約処理ではディジタルカメラ部２１９にて撮像された画像に対して文字認識処理を実行したが、電子メールで受信した画像を表示し、文字認識処理を行うこともできる。そして、前述したフローチャートのステップＳ２以降の処理を実行することにより、録画予約が行えることになる。
【図面の簡単な説明】
【００２２】
【図１】この発明の実施形態の携帯型電話装置の外観を示した斜視図である。
【図２】この発明の実施形態の携帯型電話装置を示したブロック図である。
【図３】番組欄撮像画像を示した説明図である。
【図４】処理内容を示したフローチャートである。
【符号の説明】
【００２３】
２      携帯型電話装置
２０２  液晶表示パネル
２０４  ＭＰＥＧ４ビデオデコーダ
２０９  ＣＰＵ
２１９  ディジタルカメラ部
３      メモリカード
【図１】
2005136831.tif 000003
【図２】
2005136831.tif 000004
【図３】
2005136831.tif 000005
【図４】
2005136831.tif 000006